(57)【要約】【課題】フローセル内における試料の拡散を抑制する。【解決手段】フローセルは、光を入射させる入射面と、前記入射面から入射した光の進行方向に対して垂直な方向に試料溶液を流通させるセル部と、前記セル部を挟んで前記入射面とは反対側に位置し、前記セル部を通過した光を出射させる出射面と、前記セル部に試料溶液を導入する入口部と、前記セル部を経た試料溶液を前記セル部の外部へ排出する出口部と、を備えている。さらに、前記セル部は、互いに直列に又は並列に接続され、前記入射面から入射した光の進行方向に対して垂直な面内に配列され、前記入口部から導入された試料溶液を流通させる複数の細流路によって構成され、前記入射面に入射する光が照射される領域のうち前記細流路が設けられている領域以外の領域は、光を透過させない遮光領域となっている。【選択図】図１
2018040651.tif 000002
【特許請求の範囲】
【請求項１】
光を入射させる入射面と、
前記入射面から入射した光の進行方向に対して垂直な方向に試料溶液を流通させるセル部と、
前記セル部を挟んで前記入射面とは反対側に位置し、前記セル部を通過した光を出射させる出射面と、
前記セル部に試料溶液を導入する入口部と、
前記セル部を経た試料溶液を前記セル部の外部へ排出する出口部と、を備え、
前記セル部は、前記入射面から入射した光の進行方向に対して垂直な面内に配列され、前記入口部から導入された試料溶液を流通させる複数の細流路によって構成され、
前記入射面に入射する光が照射される領域のうち前記細流路が設けられている領域以外の領域は、光を透過させない遮光領域となっているフローセル。
【請求項２】
前記細流路は互いに直列に接続されている請求項１に記載のフローセル。
【請求項３】
前記入射面又は出射面のうち前記遮光領域に相当する領域が光を透過させない材料で覆われている請求項１又は２に記載のフローセル。
【請求項４】
前記細流路は、積層された光透過性基板の接合面に設けられた溝によって構成されている請求項１から３のいずれか一項に記載のフローセル。
【請求項５】
該フローセルは、前記細流路をなす溝を有する遮光性基板と該遮光性基板と接合された光透過性基板によって構成されている１又は２に記載のフローセル。
【請求項６】
前記遮光性基板は金属からなり、前記光透過性基板との接合面が耐薬品性素材によって被覆されている請求項５に記載のフローセル。
【請求項７】
前記耐薬品性素材はポリテトラフルオロエチレンである請求項６に記載のフローセル。
【請求項８】
請求項１から７のいずれか一項に記載のフローセルと、
前記フローセルに対して測定光を照射する光源部と、
前記フローセルを通過した光の光量を検出する光検出素子と、
前記光検出素子の検出信号に基づいて前記フローセル内を流れる試料溶液の吸光度を求める演算処理部と、を備えた吸光度検出器。
【発明の詳細な説明】
【技術分野】
【０００１】
本発明は、フローセル及びそのフローセルを備えた吸光度検出器に関するものである。
【背景技術】
【０００２】
液体クロマトグラフ用の検出器として吸光度検出器が知られている（特許文献１参照。）。吸光度検出器は、透明材料で構成されたフローセルを有し、そのフローセルの内部に設けられたセル部において、試料を含む試料溶液を流通させ、そのセル部に対して所定波長の光を照射してセル部を透過した光の光量変化を検出することで、セル部を流れる試料溶液の吸光度を測定する。
【先行技術文献】
【特許文献】
【０００３】
【特許文献１】特開２０１６−０３８２０８号公報
【発明の概要】
【発明が解決しようとする課題】
【０００４】
吸光度検出器で高濃度の試料溶液を分析する場合、フローセルのセル部を通過する光の光路長が長いと、セル部を流れる試料溶液によって光の大部分が吸収されてしまい、検出素子の受光光量が小さくなって正確に分析することができなくなる。そのため、高濃度の試料を分析する場合には、セル部の光路長を、例えば数１０μｍ〜１００μｍ程度にまで短くすることが考えられる。
【０００５】
ここで、セル部は、測定光の全体を通過させるような形状である必要がある。そのため、光の進行方向に対して垂直な方向のセル部の断面形状はある程度の大きさをもった円盤形状等の形状にする必要があるが、セル部をそのような形状にすると、セル部における試料溶液の拡散が大きくなり、検出されるピークのピーク幅が大きくなって隣接ピークとの分離が悪くなる。
【０００６】
そこで、本発明は、フローセル内における試料の拡散を抑制することを目的とするものである。
【課題を解決するための手段】
【０００７】
本発明に係るフローセルは、光を入射させる入射面と、前記入射面から入射した光の進行方向に対して垂直な方向に試料溶液を流通させるセル部と、前記セル部を挟んで前記入射面とは反対側に位置し、前記セル部を通過した光を出射させる出射面と、前記セル部に試料溶液を導入する入口部と、前記セル部を経た試料溶液を前記セル部の外部へ排出する出口部と、を備えている。さらに、前記セル部は、互いに直列に又は並列に接続され、前記入射面から入射した光の進行方向に対して垂直な面内に配列され、前記入口部から導入された試料溶液を流通させる複数の細流路によって構成され、前記入射面に入射する光が照射される領域のうち前記細流路が設けられている領域以外の領域は、光を透過させない遮光領域となっている。
【０００８】
試料溶液の流れる流路の拡散容量は、セル部内を流れる試料溶液の流速をｖ、流路長をＬ、流路半径をｒ、拡散係数をＤとすると、次式によって表わすことができる。
2018040651.tif 000003
上記の式から、拡散容量は流路半径の３乗に比例することがわかる。そこで、上記のように、セル部を複数の細流路によって構成することで、セル部において試料溶液が流れる流路の半径が小さくなり、セル部の拡散容量が小さくなる。これにより、セル部での試料の拡散が抑制される。
【０００９】
また、上記式によれば、流路の拡散容量は、流路長の０．５乗に比例する。そこで、好ましい実施形態では、前記細流路は互いに直列に接続されている。セル部を構成する細流路が互いに直列に接続されていれば、試料溶液が流れる細流路の流路長が長くなって拡散容量がさらに小さくなり、セル部での試料の拡散がさらに抑制される。
【００１０】
好ましい実施形態では、前記入射面又は出射面のうち前記遮光領域に相当する領域が光を透過させない材料で覆われている。かかる構成にすることで、光が照射される領域のうち細流路が設けられている領域以外の領域を容易に遮光領域にすることができ、本発明に係るフローセルの作成が容易になる。
【００１１】
さらに好ましい実施形態では、前記細流路は、積層された光透過性基板の接合面に設けられた溝によって構成されている。かかる構成にすることで、光路長の短いフローセルの作成が容易になる。
【００１２】
また、フローセルは、細流路をなす溝を有する遮光性基板と該遮光性基板と接合された光透過性基板によって構成することもできる。細流路をなす溝を有する遮光性基板を利用することで、遮光性基板の主平面のうち溝の設けられていない領域は自動的に光を透過させない遮光領域となるので、遮光領域とする部分を遮光性の材料によって被覆する必要がない。
【００１３】
上記遮光性基板としては、レーザー加工、ケミカルエッチング、電気鋳造等が可能なチタン、ステンレス、白金など化学的に安定な金属材料からなるものを用いることができ、その場合には、光透過性基板との接合面が耐薬品性素材によって被覆されていることが好ましい。そうすれば、耐薬品性を向上させることができる。
【００１４】
耐薬品性素材の一例としてポリテトラフルオロエチレンを挙げることができる。
【００１５】
本発明に係る吸光度検出器は、上記フローセルと、前記フローセルに対して測定光を照射する光源部と、前記フローセルを通過した光の光量を検出する光検出素子と、前記光検出素子の検出信号に基づいて前記フローセル内を流れる試料溶液の吸光度を求める演算処理部と、を備えている。
【発明の効果】
【００１６】
本発明に係るフローセルでは、セル部が、互いに直列に又は並列に接続され、前記入射面から入射した光の進行方向に対して垂直な面内に配列され、前記入口部から導入された試料溶液を流通させる複数の細流路によって構成されているので、セル部の拡散容量が小さくなり、セル部での試料の拡散を抑制することができる。ここで、セル部を構成する各細流路の間には試料溶液の流れない（セル部を構成しない）領域が存在することになる。この領域を通過する光が光検出素子に入射すると迷光となってしまい、検出器の検出感度を低下させることとなる。本発明では、前記入射面に入射する光が照射される領域のうち前記細流路が設けられている領域以外の領域が光を透過させない遮光領域となっているので、検出感度の低下を抑制することができる。
【００１７】
本発明に係る吸光度検出器では、本発明のフローセルを用いているので、セル部における試料の拡散が抑制され、ピークの分離が向上する。
【図面の簡単な説明】
【００１８】
【図１】フローセルの一実施例を示す平面図である。
【図２】（Ａ）は図１のＸ−Ｘ位置における断面図、（Ｂ）は図１のＹ−Ｙ位置における断面図である。
【図３】（Ａ）、（Ｂ）及び（Ｃ）はそれぞれフローセルの他の実施例を構成する各基板の平面図である。
【図４】同実施例のフローセルを図１のＸ−Ｘ位置に対応する位置で切断したときの断面図である。
【図５】フローセルを備えた吸光度検出器の一実施例を示す概略構成図である。
【発明を実施するための形態】
【００１９】
図１及び図２を用いてフローセルの一実施例について説明する。
【００２０】
この実施例のフローセル１は２枚の基板２ａ、２ｂが積層されてなる積層基板２により構成されている。基板２ａ、２ｂは、例えば石英などの光透過性材料によって構成されている。このフローセル１は、基板２ｂ側の表面（図２において左側表面）が、光源からの光を入射させる入射面となっており、反対側の基板２ａ側の表面（図２において右側表面）が、内部のセル部を透過した光を出射させる出射面となっている。
【００２１】
積層基板２の接合面に複数の細流路４が設けられている。この実施例では、細流路４が基板２ａに形成された溝によって構成されている。細流路４は積層基板２の接合面内において互いに平行に等間隔で配列され、かつ、１本の蛇行した流路をなすように互いに直列に接続されている。蛇行した１本の細流路４の両端部には、該細流路４に試料溶液を導入するための入口部をなす貫通孔６と、細流路４を経た試料をフローセル１の外部へ排出するための出口部をなす貫通孔８が設けられている。
【００２２】
図１において破線で示された円１２は、このフローセル１に照射される光束を表している。光束１２の直径は例えば１ｍｍ程度である。細流路４をなす溝の深さを例えば１００μｍとする。この場合、セル部を通過する光の光路長が１００μｍとなる。細流路４の幅を光路長と同じ１００μｍとし、隣り合う細流路４の間の間隔も１００μｍとすれば、直径１ｍｍの円盤の中にかかる細流路４を形成するとすれば、細流路４の全長は６ｍｍ程度となる。かかる細流路４の拡散容量を直径１ｍｍの円盤形状の流路の拡散容量と比較すると、拡散容量が約６０／１０００倍となり、試料の拡散が大幅に抑制されることとなる。
【００２３】
また、図１では、細流路４の設けられている領域以外の領域１０にハッチングがなされている。吸光度検出器において、試料の吸光度測定に寄与するのは細流路４が設けられている部分のみであり、細流路４の設けられていない領域を光が通過して検出されてしまうと、迷光となって直線性や検出感度を低下させてしまう。
【００２４】
そこで、この実施例では、出射面（基板２ａ側の表面）のうち細流路４が設けられている領域に相当する領域以外の全領域が、遮光性材料からなるマスク１４によって覆われている。すなわち、このフローセル１は、細流路４が設けられている領域以外の領域が、入射面に入射した光を透過させない遮光領域となっている。マスク１４をなす遮光性材料としては、例えば金属板、黒色塗装板金などを用いることができる。これらは、レーザー加工、ケミカルエッチング若しくは電気鋳造による製造などにより製作することができる。なお、この実施例において、マスク１４は出射面側に設けられているが、入射面側に設けられていてもよい。
【００２５】
なお、マスク１４によって細流路４が設けられている領域以外の領域を遮光領域とするのは、細流路４以外の領域を光が通過して迷光となることを防止するためであるから、少なくとも光１２が入射する領域のうち細流路４が設けられている領域以外の領域が遮光領域となるように、マスク１４が設けられていればよい。
【００２６】
この実施例では、複数の細流路４が互いに直列に接続されて１本の蛇行した流路を構成しているが、他の実施形態として、複数の細流路４が互いに並列に接続されている例を挙げることができる。その場合、入口部及び出口部は、細流路４の一端側から他端側へ試料溶液が流れるように設けられる。
【００２７】
既述のように、流路の拡散容量は、流路内径の３乗、流路長の０．５乗に比例するのであるから、細流路４を並列に接続すれば、直列に接続した場合よりも流路長は短くなり、細流路４を直列に接続した場合に比べて、拡散容量を小さくする効果は小さい。しかし、複数の細流路４を互いに並列に接続した場合でも、セル部を１つの流路で構成する場合に比べて、拡散容量を小さくして試料の拡散を抑制するという効果が得られる。したがって、細流路４は必ずしも直列に接続されている必要はない。
【００２８】
上記実施例のフローセル１は２枚の光透過性基板２ａ，２ｂによって構成されているが、遮光性基板を使用して上記実施例のフローセル１と同等のフローセルを構成することもできる。遮光性基板を利用することで、上記実施例のように細流路４が設けられていない領域を遮光領域とするためのマスク１４が不要となる。
【００２９】
遮光性基板を利用したフローセルの一実施例について図３及び図４を用いて説明する。なお、図４はこの実施例のフローセルを図１のＸ−Ｘ位置に対応する位置で切断したときの断面図である。
【００３０】
この実施例のフローセルは、２枚の光透過性基板２ｃ及び２ｅと遮光性基板２ｄが積層されて構成されている。遮光性基板２ｄに細流路４をなす溝が設けられており、遮光性基板２ｄの両面に光透過性基板２ｃと２ｅが接合されている。光透過性基板２ｃには、細流路４に試料溶液を導入するための入口部をなす貫通孔６と、細流路４を経た試料をフローセル１の外部へ排出するための出口部をなす貫通孔８が設けられている。
【００３１】
光透過性基板２ｃ及び２ｅは例えば石英基板である。遮光性基板２ｄは、レーザー加工、ケミカルエッチング、電気鋳造等が可能なチタン、ステンレス、白金など化学的に安定な金属材料からなるものである。遮光性基板２ｄの両面には、例えばポリテトラフルオロエチレンなどの耐薬品性素材による被膜が施されており、耐薬品性の向上及び光透過性基板２ｃ，２ｅとの接合強度の向上が図られている。
【００３２】
遮光性基板２ｄに細流路４をなす溝を設け、その遮光性基板に光透過性基板２ｃ及び２ｅを接合した構造をとることで、遮光性のマスクを設けなくても、際流路４が設けられている領域以外の領域が遮光領域となる。
【００３３】
次に、以上において説明したフローセルを備えた吸光度検出器の一実施例について、図５を用いて説明する。この実施例におけるフローセル１は、図１及び図２に示された構造を有するものであってもよいし、図３及び図４に示された構造を有するものであってもよい。
【００３４】
この実施例の吸光度検出器は、フローセル１のほかに、光源１６、バンドパスフィルタ１８、コリメーションレンズ２０、ビームスプリッタ２２、光検出素子２４、２６、及び演算処理部２８を備えている。フローセル１内のセル部を、例えば液体クロマトグラフの分析カラムから溶出した溶出液が流れる。演算処理部２８は専用のコンピュータ又は汎用のパーソナルコンピュータによって実現される。
【００３５】
光源１６とフローセル１との間に、バンドパスフィルタ１８、コリメーションレンズ２０及びビームスプリッタ２２が配置されている。光源１６で発せられた光から測定で用いる波長の光がバンドパスフィルタ１８によって抽出され、コリメーションレンズ２０によって平行光化される。コリメーションレンズ２０を経た光の一部はビームスプリッタ２２で反射されて参照用の光検出素子２６に参照光として入射する。ビームスプリッタ２２で反射せずに透過した光は、測定光としてフローセル１に入射し、フローセル１を透過した光が測定用の光検出素子２４に入射する。
【００３６】
光検出素子２４と２６の検出信号はそれぞれ演算処理部２８に取り込まれる。演算処理部２８は、光検出素子２４と２６の検出信号に基づいてフローセル１内を流れる試料溶液の吸光度を求め、液晶ディスプレイなどの表示部（図示は省略）に表示する。
【００３７】
この吸光度検出器では、上記のフローセル１を用いているので、フローセル１内のセル部を流れる試料の拡散が小さく、演算処理部２８によって求められるクロマトグラムのピーク形状がブロードになることが抑制され、分離性能が向上する。
【符号の説明】
【００３８】
１      フローセル
２      積層基板
２ａ，２ｂ，２ｃ，２ｅ      光透過性基板
２ｄ      遮光性基板
４      細流路
６      貫通孔（入口部）
８      貫通孔（出口部）
１０      遮光領域
１２      光束
１４      マスク
１６      光源
１８      バンドパスフィルタ
２０      コリメーションレンズ
２２      ビームスプリッタ
２４，２６      光検出素子
２８      演算処理部
【図１】
2018040651.tif 000004
【図２】
2018040651.tif 000005
【図３】
2018040651.tif 000006
【図４】
2018040651.tif 000007
【図５】
2018040651.tif 000008